【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
支持体と、該支持体上に設けられた感光層とを有する電子写真感光体であって、該電子写真感光体の最表面層が、下記化合物（Ａ）と下記化合物（Ｂ）とを重合して得られる重合体を含有する層であることを特徴とする電子写真感光体：
化合物（Ａ）：同一分子内に２つ以上の連鎖重合性官能基を有する正孔輸送性化合物；
化合物（Ｂ）：連鎖重合性官能基とアリーレンエーテル基とを有し、水酸基を有さず、該連鎖重合性官能基と該アリーレンエーテル基との間に少なくとも下記構造式（１）で示される官能基を有し、かつ正孔輸送機能を有さない化合物
【化１】
2007163577.tif 000001
（構造式（１）中、ｖ及びｗは、０〜５の整数を示す。ただし、ｖとｗとの和は、２〜５である。）。
【請求項２】
前記化合物（Ｂ）が、前記アリーレンエーテル基を２個以上４個以下有する化合物である請求項１に記載の電子写真感光体。
【請求項３】
前記化合物（Ｂ）が、下記構造式（２）で示される化合物である請求項１又は２に記載の電子写真感光体：
【化２】
2007163577.tif 000002
（構造式（２）中、Ｐは、連鎖重合性反応基を示す。Ｘは、ｎ価（ｎは２〜４の整数）の有機残基を示す。Ｒ２０１〜Ｒ２０４は、それぞれ独立に、水素原子、又は、１価の水酸基でない有機残基を示す。ｖ及びｗは、０〜５の整数を示す。ただし、ｖとｗとの和は、２〜５である。）。
【請求項４】
前記化合物（Ｂ）が、下記構造式（３）で示される化合物である請求項１又は２に記載の電子写真感光体：
【化３】
2007163577.tif 000003
（構造式（３）中、Ｐは、連鎖重合性反応基を示す。Ｒ３０１〜Ｒ３１０は、それぞれ独立に、水素原子、又は、１価の水酸基でない有機残基を示す。ｐ、ｑ、ｒ及びｓは、０〜５の整数を示す。ただし、ｐとｑとの和及びｒとｓとの和は、２〜５である。）。
【請求項５】
前記化合物（Ｂ）が、下記構造式（４）で示される化合物である請求項１又は２に記載の電子写真感光体：
【化４】
2007163577.tif 000004
（構造式（４）中、Ｐは、連鎖重合性反応基を示す。Ｒ４０１及びＲ４０２は、それぞれ独立に、１価の水酸基でない有機残基を示す。ｐ、ｑ、ｒ及びｓは、０〜５の整数を示す。ただし、ｐとｑとの和及びｒとｓとの和は、２〜５である。）。
【請求項６】
前記アリーレンエーテル基が、無置換のフェニレンエーテル基、又は水酸基以外の置換基で置換されたフェニレンエーテル基である請求項１乃至５のいずれかに記載の電子写真感光体。
【請求項７】
前記化合物（Ａ）が、水酸基を有さない化合物である請求項１乃至６のいずれかに記載の電子写真感光体。
【請求項８】
前記化合物（Ａ）が、アリーレンエーテル基を有さない化合物である請求項１乃至７のいずれかに記載の電子写真感光体。
【請求項９】
前記化合物（Ａ）が、トリアリールアミン構造を有する化合物である請求項１乃至８のいずれかに記載の電子写真感光体。
【請求項１０】
前記の重合が、電子線の照射によって行われた重合である請求項１乃至９のいずれか一項に記載の電子写真感光体。
【請求項１１】
請求項１乃至１０のいずれかに記載の電子写真感光体と、該電子写真感光体の表面を帯電させる帯電手段、該電子写真感光体の表面に形成された静電潜像をトナーで現像して該電子写真感光体の表面にトナー像を形成する現像手段、及び、該電子写真感光体の表面の転写残りトナーを除去するクリーニング手段からなる群より選ばれた少なくとも１つの手段とを一体に支持し、電子写真装置本体に着脱可能であることを特徴とするプロセスカートリッジ。
【請求項１２】
請求項１乃至１０のいずれかに記載の電子写真感光体、該電子写真感光体を帯電させる帯電手段、帯電した電子写真感光体の表面に対して露光を行って該電子写真感光体の表面に静電潜像を形成する露光手段、該電子写真感光体の表面に形成された静電潜像をトナーで現像して該電子写真感光体の表面にトナー像を形成する現像手段、及び、電子写真感光体の表面に形成されたトナー像を転写材に転写する転写手段を備えることを特徴とする電子写真装置。
【手続補正２】
【補正対象書類名】明細書
【補正対象項目名】００１２
【補正方法】変更
【補正の内容】
【００１２】
本発明は、
支持体と、該支持体上に設けられた感光層とを有する電子写真感光体であって、該電子写真感光体の最表面層が、下記化合物（Ａ）と下記化合物（Ｂ）とを重合して得られる重合体を含有する層であることを特徴とする電子写真感光体：
化合物（Ａ）：同一分子内に２つ以上の連鎖重合性官能基を有する正孔輸送性化合物；
化合物（Ｂ）：連鎖重合性官能基とアリーレンエーテル基とを有し、水酸基を有さず、該連鎖重合性官能基と該アリーレンエーテル基との間に少なくとも下記構造式（１）で示される官能基を有し、かつ正孔輸送機能を有さない化合物
【化５】
2007163577.tif 000005
（構造式（１）中、ｖ及びｗは、０〜５の整数を示す。ただし、ｖとｗとの和は、２〜５である。）ことを特徴とする。
【手続補正３】
【補正対象書類名】明細書
【補正対象項目名】００１３
【補正方法】変更
【補正の内容】
【００１３】
また、本発明によるプロセスカートリッジ及び電子写真装置は、上述の電子写真感光体と、該電子写真感光体の表面を帯電させる帯電手段、該電子写真感光体の表面に形成された静電潜像をトナーで現像して該電子写真感光体の表面にトナー像を形成する現像手段、及び、該電子写真感光体の表面の転写残りトナーを除去するクリーニング手段からなる群より選ばれた少なくとも１つの手段とを一体に支持し、電子写真装置本体に着脱可能であることを特徴とするプロセスカートリッジである。
また、本発明は、上述の電子写真感光体、該電子写真感光体を帯電させる帯電手段、帯電した電子写真感光体の表面に対して露光を行って該電子写真感光体の表面に静電潜像を形成する露光手段、該電子写真感光体の表面に形成された静電潜像をトナーで現像して該電子写真感光体の表面にトナー像を形成する現像手段、及び、電子写真感光体の表面に形成されたトナー像を転写材に転写する転写手段を備えることを特徴とする電子写真装置である。
【手続補正４】
【補正対象書類名】明細書
【補正対象項目名】００１６
【補正方法】変更
【補正の内容】
【００１６】
いずれの構成をとった場合でも、本発明による電子写真感光体の最表面層は、以下の化合物（Ａ）と化合物（Ｂ）とを重合して得られる重合体を含有する層であることを特徴とする。
【手続補正５】
【補正対象書類名】明細書
【補正対象項目名】００１７
【補正方法】変更
【補正の内容】
【００１７】
化合物（Ａ）：同一分子内に２つ以上の連鎖重合性官能基を有する正孔輸送性化合物
化合物（Ｂ）：連鎖重合性官能基とアリーレンエーテル基を有し、水酸基を有さず、連鎖重合性官能基とアリーレンエーテル基の間に少なくとも下記構造式（１）で示される官能基を有し、かつ正孔輸送機能を有さない化合物
なお、化合物（Ａ）と化合物（Ｂ）の詳細については、後述する。
【手続補正６】
【補正対象書類名】明細書
【補正対象項目名】００１８
【補正方法】変更
【補正の内容】
【００１８】
【化６】
2007163577.tif 000006
（構造式（１）中、ｖ及びｗは、０〜５の整数を示す。ただし、ｖとｗとの和は、２〜５である。）
【手続補正７】
【補正対象書類名】明細書
【補正対象項目名】００２７
【補正方法】変更
【補正の内容】
【００２７】
上述のように、本発明による電子写真感光体は、この電子写真感光体を構成する感光層が積層型であっても単層型であっても、最表面層が、以下の化合物（Ａ）と化合物（Ｂ）とを重合して得られる重合体を含有する層であることを特徴とする。
【手続補正８】
【補正対象書類名】明細書
【補正対象項目名】００２８
【補正方法】変更
【補正の内容】
【００２８】
化合物（Ａ）：同一分子内に２つ以上の連鎖重合性官能基を有する正孔輸送性化合物
化合物（Ｂ）：連鎖重合性官能基とアリーレンエーテル基を有し、水酸基を有さず、連鎖重合性官能基とアリーレンエーテル基の間に少なくとも下記構造式（１）で示される官能基を有し、かつ正孔輸送機能を有さない化合物
【手続補正９】
【補正対象書類名】明細書
【補正対象項目名】００２９
【補正方法】変更
【補正の内容】
【００２９】
【化７】
2007163577.tif 000007
（構造式（１）中、ｖ及びｗは、０〜５の整数を示す。ただし、ｖとｗとの和は、２〜５である。）
【手続補正１０】
【補正対象書類名】明細書
【補正対象項目名】００４１
【補正方法】変更
【補正の内容】
【００４１】
一方、本発明において、上述の化合物（Ｂ）は、連鎖重合性官能基とアリーレンエーテル基とを有し、水酸基を有さず、連鎖重合性官能基とアリーレンエーテル基との間に少なくとも下記構造式（１）で示される官能基を有し、かつ正孔輸送機能を有さない化合物である。
【手続補正１１】
【補正対象書類名】明細書
【補正対象項目名】００４２
【補正方法】変更
【補正の内容】
【００４２】
【化８】
2007163577.tif 000008
（構造式（１）中、ｖ及びｗは、０〜５の整数を示す。ただし、ｖとｗとの和は、２〜５である。）
【手続補正１２】
【補正対象書類名】明細書
【補正対象項目名】００４４
【補正方法】変更
【補正の内容】
【００４４】
化合物（Ｂ）は、下記構造式（２）で示される化合物であることが好ましい。
【手続補正１３】
【補正対象書類名】明細書
【補正対象項目名】００４５
【補正方法】変更
【補正の内容】
【００４５】
【化９】
2007163577.tif 000009
（構造式（２）中、Ｐは、連鎖重合性反応基を示す。Ｘは、ｎ価（ｎは２〜４の整数）の有機残基を示す。Ｒ２０１〜Ｒ２０４は、それぞれ独立に、水素原子、又は、１価の水酸基でない有機残基を示す。ｖ及びｗは、０〜５の整数を示す。ただし、ｖとｗとの和は、２〜５である。）
【手続補正１４】
【補正対象書類名】明細書
【補正対象項目名】００４６
【補正方法】変更
【補正の内容】
【００４６】
また、化合物（Ｂ）は、下記構造式（３）で示される化合物であることが好ましい。
【手続補正１５】
【補正対象書類名】明細書
【補正対象項目名】００４７
【補正方法】変更
【補正の内容】
【００４７】
【化１０】
2007163577.tif 000010
（構造式（３）中、Ｐは、連鎖重合性反応基を示す。Ｒ３０１〜Ｒ３１０は、それぞれ独立に、水素原子、又は、１価の水酸基でない有機残基を示す。ｐ、ｑ、ｒ及びｓは、０〜５の整数を示す。ただし、ｐとｑとの和及びｒとｓとの和は、２〜５である。）
【手続補正１６】
【補正対象書類名】明細書
【補正対象項目名】００４８
【補正方法】変更
【補正の内容】
【００４８】
さらに、化合物（Ｂ）は、下記構造式（４）で示される化合物であることが好ましい。
【手続補正１７】
【補正対象書類名】明細書
【補正対象項目名】００４９
【補正方法】変更
【補正の内容】
【００４９】
【化１１】
2007163577.tif 000011
（構造式（４）中、Ｐは、連鎖重合性反応基を示す。Ｒ４０１及びＲ４０２は、それぞれ独立に、１価の水酸基でない有機残基を示し、ｐ、ｑ、ｒ及びｓは、０〜５の整数を示す。ただし、ｐとｑとの和及びｒとｓとの和は、２〜５である。）
【手続補正１８】
【補正対象書類名】明細書
【補正対象項目名】００５０
【補正方法】変更
【補正の内容】
【００５０】
なお、上述の構造式（２）乃至（４）で示される化合物の置換基Ｘに定義した有機残基としては、特に限定されないが、アルカンまたはシクロアルカンから水素原子をｎ個除いたものが好ましい。また、上述の構造式（２）乃至（４）で示される化合物の置換基Ｒ４０１及びＲ４０２並びにＲ３０１〜Ｒ３１０に定義した有機残基としては、特に限定されないが、アルキル基が好ましく、メチル基がより好ましい。さらに、上述のアリーレンエーテル基は、無置換又は水酸基以外の置換基で置換されたフェニレンエーテル基であることが好ましい。
【手続補正１９】
【補正対象書類名】明細書
【補正対象項目名】００５４
【補正方法】変更
【補正の内容】
【００５４】
また、本発明において、上述のいずれの場合にも、化合物（Ａ）と化合物（Ｂ）とを重合して得られた重合体を含有する感光層に、この化合物（Ａ）以外の電荷輸送材料を含有させてもよい。
【手続補正２０】
【補正対象書類名】明細書
【補正対象項目名】０１５７
【補正方法】変更
【補正の内容】
【０１５７】
（プロセスカートリッジ及び電子写真装置）
次に、本発明による上述の電子写真感光体を有するプロセスカートリッジ及び電子写真装置について説明する。図１は、本発明による電子写真感光体を有するプロセスカートリッジを用いる電子写真装置の概略構成の例を示す。図１において、１はドラム状の本発明による電子写真感光体であり、軸２を中心に矢印方向に所定の周速度で回転駆動される。電子写真感光体１は、回転過程において、帯電手段３によりその周面に正又は負の所定電位の均一帯電を受け、次いでスリット露光やレーザービーム走査露光等の露光手段（図示せず）からの露光光４を受ける。こうして電子写真感光体１の周面に静電潜像が順次形成される。帯電手段３としてスコロトロンやコロトロンのようなコロナ帯電器を用いた場合、上述の課題に挙げた問題点が発生しやすい。従って、本発明の効果は帯電手段３がコロナ帯電器の場合に特に顕著に得られる。
【手続補正２１】
【補正対象書類名】明細書
【補正対象項目名】０１５８
【補正方法】変更
【補正の内容】
【０１５８】
形成された静電潜像は、次いで、現像手段５によりトナー現像される。その後、現像されたトナー像は、給紙部（図示せず）から電子写真感光体１と転写手段６との間に電子写真感光体１の回転と同期して給紙された転写材７に、転写手段６により順次転写されていく。像転写を受けた転写材７は、電子写真感光体面から分離されて像定着手段８へ導入されて像定着を受けて、複写物（コピー）として装置外へプリントアウトされる。
【手続補正２２】
【補正対象書類名】明細書
【補正対象項目名】０１５９
【補正方法】変更
【補正の内容】
【０１５９】
像転写後の電子写真感光体１の表面は、クリーニング手段９によって転写残りトナーの除去を受けて清浄面化され、更に前露光手段（図示せず）からの前露光光１０により除電処理された後、繰り返し画像形成に使用される。なお、帯電手段３が帯電ローラー等を用いた接触帯電手段である場合、前露光は、必ずしも必要ではない。
【手続補正２３】
【補正対象書類名】明細書
【補正対象項目名】０１６０
【補正方法】変更
【補正の内容】
【０１６０】
本発明によるプロセスカートリッジは、上述の電子写真感光体１と、帯電手段３、現像手段５及びクリーニング手段９等の構成要素のうち１以上の構成要素とをプロセスカートリッジとして一体に結合して構成すればよい。このプロセスカートリッジは、複写機やレーザービームプリンター等の電子写真装置本体に対して着脱可能に構成してもよい。例えば、帯電手段３、現像手段５及びクリーニング手段９の少なくとも１つを電子写真感光体１と共に一体に支持してカートリッジ化して、電子写真装置本体のレール等の案内手段１２を用いて装置本体に着脱可能なプロセスカートリッジ容器１１とすることができる。